(57)【要約】【課題】  アンテナの誤接続、ひいてはＲＦ電波放出を防止する。【解決手段】  ＩＰ信号をＲＦ信号に変換するＩＰ／ＲＦ変換回路１２とＲＦ出力端子１４との間に誤接続防止装置１６を配置する。誤接続防止装置１６は、誤接続の場合にＩＰ／ＲＦ変換回路１２の出力ＲＦ信号を遮断する遮断装置として機能するスイッチ１８を具備する。スイッチ１８とＲＦ出力端子１４の間にサーキュレータ２０を配置し、サーキュレータ２０は、ＲＦ出力端子１４からのＲＦ信号をＲＦ信号レベル検出装置２２に転送する。ＲＦ信号レベル検出装置２２は、入力ＲＦ信号のＶＨＦ又はＵＨＦ帯のレベルを検出し、その検出レベルが所定閾値以上の場合にスイッチ１８を開放する。【選択図】  図１
2008153870.tif 000002
【特許請求の範囲】
【請求項１】
ＲＦ信号を通過／遮断する遮断装置（１８）と、
入力信号のＲＦ信号レベルを検出し、検出結果に従い当該遮断装置（１８）を制御するＲＦ信号レベル検出装置（２２）と、
当該遮断装置（１８）の出力信号をＲＦ出力端子（１４）に転送し、当該ＲＦ信号出力端子（１４）からの信号を当該ＲＦ信号レベル検出装置（２２）に転送するサーキュレータ（２０）
とを具備し、
当該ＲＦ信号レベル検出装置（２２）は、当該サーキュレータ（２０）からの信号に所定レベル以上のＲＦ信号が含まれる場合に、当該遮断装置を通過状態に制御する
ことを特徴とするアンテナ誤接続防止装置。
【請求項２】
請求項１に記載のアンテナ誤接続防止装置と、
当該アンテナ誤接続防止装置に、当該ＲＦ信号を供給するＲＦ信号供給装置（１２）
とを具備することを特徴とするＲＦ信号発生装置。
【請求項３】
当該ＲＦ信号供給装置（１２）が、ＩＰ信号で搬送される放送信号を当該ＲＦ信号に変換するＩＰ／ＲＦ変換装置であることを特徴とする請求項２に記載のＲＦ信号発生装置。
【発明の詳細な説明】
【技術分野】
【０００１】
本発明は、アンテナ誤接続防止装置及びＲＦ信号発生装置に関し、より具体的には、電波を空間に輻射してしまうようなアンテナ線への誤接続を防止するアンテナ誤接続防止装置及びＲＦ信号発生装置に関する。
【背景技術】
【０００２】
現在、地上デジタル放送の普及を目的としてＩＰネットワークを用いた放送波の再送信技術（以下、ＩＰ再送信）に関する検討がなされている。今後、ＩＰ再送信に対応するテレビ又はセットトップボックス（ＳＴＢ）が開発され、その利用ユーザ数も増加することが考えられる。
【０００３】
一方で、既に地上デジタル放送に対応したテレビも確実に普及しているが、これらの買い替え需要が起こるには、地上アナログ波の停止の前後又はこれ以降になると想定される。また、ビデオ録画機器等の周辺機器まで含めた対応状況を考慮すると、今後、ＩＰ対応テレビが普及したとしても、引き続き、ＲＦ形式での入力端子を持つビデオ機器が使われる可能性は大きいと考えられる。
【０００４】
ＩＰ再送信による地上デジタル放送再送信技術を早期かつ広範に普及させる一つの方法として、ＩＰ信号として宅内又はマンションの戸間口まで到達した放送信号を宅内において再度ＲＦ形式のアナログ又はデジタル放送信号に変換し、既存の宅内同軸配線を介して各部屋まで配信し、各部屋に設置される既存のＴＶ又は地上デジタルチューナ内蔵ＴＶで当該放送信号を再生する、という方法が検討されている。
【０００５】
図２は、宅内のＩＰ放送信号受信システムの概略構成ブロック図を示す。アクセス回線終端装置２１０は、各個人宅又はマンションの各住戸において、アクセス回線２１２からの信号を終端してＩＰ信号２１４を出力する装置である。ここでは、アクセス回線２１２として、ＦＴＴＨ（Ｆｉｂｅｒ  Ｔｏ  Ｔｈｅ  Ｈｏｍｅ）等に代表される高速インターネット接続サービスを利用可能な広帯域回線を想定している。ＩＰ信号２１４は、ＩＰ形式に変換された放送波信号を含む。
【０００６】
ＩＰ／ＲＦ信号変換装置２１６は、ＩＰ信号２１４中に含まれる放送信号を抽出し、当該放送信号を地上デジタル放送形式のＲＦ信号２１８として出力する。ＲＦ信号２１８は、同軸ケーブルを介して、予めＶＨＦ／ＵＨＦアンテナ２２０から切り離された分配器２２２に入力され、既設の同軸ケーブル２２４、分配器２２６及び同軸ケーブル２２８〜２３２を介して既存のＴＶ受像機２３４，２３６及び録画装置２３８等に供給される。各部屋の同軸コンセントには、同軸ケーブル２２８〜２３２が接続されている。
【発明の開示】
【発明が解決しようとする課題】
【０００７】
今後、ＩＰネットワークを使って放送信号、例えば、地上デジタル放送の放送信号を伝送する場合、各住戸内には、ＩＰ／ＲＦ信号変換装置２１６が配備される。通常は、ＶＨＦ／ＵＨＦアンテナから切り離した分配器に、ＩＰ／ＲＦ信号変換装置２１６の出力ＲＦ信号を接続することになるが、ユーザ又は工事業者が、誤って、当該分配器からＶＨＦ／ＵＨＦアンテナを外しておくことを忘れた場合、アンテナからＲＦ信号が放射されてしまう。
【０００８】
図３は、分配器２２２にＶＨＦ／ＵＨＦアンテナ２２０とＩＰ／ＲＦ信号変換装置２１６の両方が接続する誤配線例を示す。この例では、ＩＰ／ＲＦ信号変換装置２１６から出力されるＲＦ信号２１８は、破線に示すように、ＴＶ受像機２３４，２３６に供給されるだけでなく、ＶＨＦ／ＵＨＦアンテナ２２０にも供給され、ＶＨＦ／ＵＨＦアンテナ２２０から電磁放射される。ＶＨＦ／ＵＨＦアンテナ２２０は、ＶＨＦアンテナとＵＨＦアンテナを並列に結合したアンテナからなるか、ＵＨＦアンテナのみからなるか、ＶＨＦアンテナのみからなる。
【０００９】
図４は、別の誤配線例を示す。この例では、もともと、ＶＨＦ／ＵＨＦアンテナ２２０が、分配器１２２の出力側に誤配線されている状況で、ＶＨＦ／ＵＨＦアンテナ２２０の接続をそのままに、ＩＰ／ＲＦ信号変換装置２１６を分配器２２２の入力側に接続したものである。ＶＨＦ／ＵＨＦアンテナ２２０を分配器２２２の出力側に接続しても、信号の回り込みにより、同じ分配器２２２に接続されるＴＶ受像機２３４，２３６にはＶＨＦ／ＵＨＦアンテナ２２０で受信した放送信号が供給されるので、ＴＶ受像機２３４，２３６はテレビ放送を視聴可能な状態にある。従って、このような誤配線が見過ごされることがある。
【００１０】
この状態では、分配器２２２の入力側が空いていることから、工事業者が、ＶＨＦ／ＵＨＦアンテナ２２０の誤配線に気付かずに、分配器２２２の入力側にＩＰ／ＲＦ信号変換装置２１６の出力を接続してしまうことが起こり得る。図４に示す接続状態では、ＩＰ／ＲＦ信号変換装置２１６の出力ＲＦ信号はＶＨＦ／ＵＨＦアンテナ２２０に分配されるので、ＶＨＦ／ＵＨＦアンテナ２２０から電磁放射されてしまう。
【００１１】
なお、従来のビデオデッキ等でＲＦ出力端子を備えるものも存在するが、これらは、ＲＦ入力端子の入力信号をタップして出力するものであり、自発的にＲＦ信号を出力するものではないことから、これまで、こういった問題は顕在化していなかった。
【００１２】
本発明は、このような誤配線による放送信号の電波放出を未然に防止し得るアンテナ誤接続防止装置を提示することを目的とする。
【課題を解決するための手段】
【００１３】
本発明に係るアンテナ誤接続防止装置は、ＲＦ信号を通過／遮断する遮断装置と、入力信号のＲＦ信号レベルを検出し、検出結果に従い当該遮断装置を制御するＲＦ信号レベル検出装置と、当該遮断装置の出力信号をＲＦ出力端子に転送し、当該ＲＦ信号出力端子からの信号を当該ＲＦ信号レベル検出装置に転送するサーキュレータとを具備し、当該ＲＦ信号レベル検出装置は、当該サーキュレータからの信号に所定レベル以上のＲＦ信号が含まれる場合に、当該遮断装置を通過状態に制御することを特徴とする
【００１４】
本発明に係るＲＦ信号発生装置は、上述のアンテナ誤接続防止装置と、当該アンテナ誤接続防止装置に、当該ＲＦ信号を供給するＲＦ信号供給装置とを具備することを特徴とする。
【発明の効果】
【００１５】
本発明によれば、例えば、宅内に設置されたＲＦ信号供給装置、例えば、ＩＰ／ＲＦ変換装置へのアンテナの誤接続を事前に検知でき、外部に電波を放射することを防止できる。
【発明を実施するための最良の形態】
【００１６】
以下、図面を参照して、本発明の実施例を詳細に説明する。
【実施例１】
【００１７】
図１は、本発明の一実施例の概略構成ブロック図である。説明上、図１は、誤接続状態を示す。
【００１８】
ＩＰ／ＲＦ信号変換装置１０は、ＩＰ信号をＲＦ信号に変換するＩＰ／ＲＦ変換回路１２と、当該ＩＰ／ＲＦ変換回路１２とＲＦ出力端子１４との間にあって、誤接続を防止する誤接続防止装置１６とからなる。ＩＰ／ＲＦ変換回路１２は、従来のＩＰ／ＲＦ信号変換装置２１６に相当する。
【００１９】
誤接続防止装置１６は、誤接続の場合に、ＩＰ／ＲＦ変換回路１２の出力ＲＦ信号を遮断する遮断装置として機能するスイッチ１８と、サーキュレータ２０と、入力ＲＦ信号のＶＨＦ又はＵＨＦ帯のレベルを検出し、その検出レベルが所定閾値以上の場合にスイッチ１８を開放するＲＦ信号レベル検出装置２２からなる。
【００２０】
ＲＦ出力端子１４には、分配器２２２，２２６及び同軸ケーブル１２４，２２８，２３０，２３２等からなるＲＦ同軸伝送路３０を介してＶＨＦ／ＵＨＦアンテナ３２が接続する。正しい配線では、ＶＨＦ／ＵＨＦアンテナ３２の代わりに、ＴＶ受像機又はビデオ録画装置等が接続する。
【００２１】
ＩＰ／ＲＦ変換回路１２の出力はスイッチ１８を介してサーキュレータ２０のポートＡに接続する。サーキュレータ２０のポートＢはＲＦ出力端子１４に接続し、ポートＣは、ＲＦ信号レベル検出装置２２の入力に接続する。サーキュレータ２０は、ポートＡの入力信号をポートＢから出力し、ポートＢの入力信号をポートＣから出力する回路素子である。
【００２２】
図１に示す誤接続状態では、ＶＨＦ／ＵＨＦアンテナ３２が外界から受信したＲＦ信号は、ＲＦ同軸伝送路３０及びＲＦ出力端子１４を介して、サーキュレータ２０のポートＢに入力する。サーキュレータ２０は、ポートＢの入力信号をポートＣから出力するので、結局、ＶＨＦ／ＵＨＦアンテナ３２が外界から受信したＲＦ信号は、ＲＦ信号レベル検出装置２２に入力する。ＲＦ信号レベル検出装置２２は、サーキュレータ２０のポートＣから入力する信号の内のＲＦ信号成分のレベルを検出し、その検出レベルが閾値以上の場合にスイッチ１８を開放し、閾値未満の場合には、スイッチ１８を閉成する。
【００２３】
ＲＦ信号レベル検出装置２２の閾値を、ＲＦ出力端子１４にＶＨＦ／ＵＨＦアンテナ３２が接続しているか否かを判別できる値に設定しておくことで、ＲＦ信号レベル検出装置２２は、ＲＦ出力端子１４にＶＨＦ／ＵＨＦアンテナ３２が誤接続しているか否かを判別できる。
【００２４】
本実施例では、ＶＨＦ／ＵＨＦアンテナ３２が放送波を受信しているとき、スイッチ１８は開放され、ＩＰ／ＲＦ変換回路１２の出力ＲＦ信号は、サーキュレータ２０のポートＡに到達しない。従って、ＩＰ／ＲＦ変換回路１２の出力ＲＦ信号は、誤接続されているＶＨＦ／ＵＨＦアンテナ３２に供給されず、電波として外界に放出されることもない。
【００２５】
他方、ＲＦ出力端子１４にＶＨＦ／ＵＨＦアンテナ３２が接続していないときには、スイッチ１８は閉成され、ＩＰ／ＲＦ変換回路１２の出力ＲＦ信号は、サーキュレータ２０のポートＡに入力する。サーキュレータ２０は、ポートＡに入力するＲＦ信号をポートＢからＲＦ出力端子１４に出力する。これにより、ＲＦ同軸伝送路３０に接続されるＴＶ受像機又はビデオ機器（図示せず）に、ＩＰ／ＲＦ変換回路１２の出力ＲＦ信号が伝送される。
【００２６】
誤接続防止装置１６を、ＩＰ／ＲＦ変換装置１２とは別体の単独の装置として構成しても良いことは明らかである。この場合、既存のＩＰ／ＲＦ変換装置１１６のＲＦ出力端子とＲＦ伝送用同軸ケーブルとの間に誤接続防止装置１６を接続する。
【００２７】
上記実施例では、ＩＰ形式で送られてきた放送信号を宅内・マンションの戸間口に設置されるＩＰ／ＲＦ信号変換装置１２を用いてＲＦ信号形式に再変換し、宅内同軸配線を用いて各部屋まで分配することを想定した場合について述べてきたものであるが、本発明は、ＲＦ信号を宅内で生成し同軸配線を用いて信号を転送するその他の方式についても適用できることは自明である。
【００２８】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００２９】
【図１】本発明の実施例１の概略構成ブロック図である。
【図２】従来例の概略構成ブロック図である。
【図３】分配器でのＲＦ信号の伝送形態を説明する模式図である。
【図４】分配器でのＲＦ信号の別の伝送形態を説明する模式図である。
【符号の説明】
【００３０】
１０：ＩＰ／ＲＦ信号変換装置
１２：ＩＰ／ＲＦ変換回路
１４：ＲＦ出力端子
１６，１６ａ：誤接続防止装置
１８：スイッチ
２０：サーキュレータ
２２：ＲＦ信号レベル検出装置
３０：ＲＦ同軸伝送路
３２：ＶＨＦ／ＵＨＦアンテナ
４０：テスト信号発生装置
４２：混合器
２１０：アクセス回線終端装置
２１２：アクセス回線
２１４：ＩＰ信号
２１６：ＩＰ／ＲＦ信号変換装置
２１８：ＲＦ信号
２２０：ＶＨＦ／ＵＨＦアンテナ
２２２：分配器
２２４：同軸ケーブル
２２６：分配器
２２８，２３０，２３２：同軸ケーブル
２３４，２３６：ＴＶ受像機
２３８：録画装置
【図１】
2008153870.tif 000003
【図２】
2008153870.tif 000004
【図３】
2008153870.tif 000005
【図４】
2008153870.tif 000006